(57)【要約】      （修正有）【課題】幼児等が自分で組み立てられる知育おもちゃを兼ねるとともに、収納したときに天蓋から形成される直方体箱に収まるようにして輸送や保管を便利にした段ボール組立机を提供する。【解決手段】それぞれ段ボールの、中空体に巻回して両側に配される二つの側柱１と、両側柱の中央に掛け渡される中央渡し４と、両側柱の前部上方に架け渡される上方渡し５と、これら両側柱、中央渡し及び上方渡しを覆って両側柱に上から嵌め込まれる天蓋６とからなる段ボール組立机において、天蓋を直方体をした側壁付きの二つ折りの箱で構成するとともに、両側柱、中央渡し及び上方渡しをそれぞれ展開して折り畳んで重ねると、天蓋の中に収容できるようにしたことを特徴とする段ボール組立机。【選択図】図２
0003113506.tif 000002
【実用新案登録請求の範囲】
【請求項１】
それぞれ段ボールの、中空体に巻回して両側に配される二つの側柱と、両側柱の中央に掛け渡される中央渡しと、両側柱の前部上方に架け渡される上方渡しと、これら両側柱、中央渡し及び上方渡しを覆って両側柱に上から嵌め込まれる天蓋とからなる段ボール組立机において、天蓋を直方体をした側壁付きの二つ折りの箱で構成するとともに、両側柱、中央渡し及び上方渡しをそれぞれ展開して折り畳んで重ねると、天蓋の中に収容できるようにしたことを特徴とする段ボール組立机。
【請求項２】
両側柱の後部に掛け渡される衝立を有するものであり、衝立も折り畳んで重ねると、天蓋の中に収容できる請求項１の段ボール組立机。
【請求項３】
両側柱と、衝立、中央渡し及び上方渡しがそれぞれ溝を形成して互いに嵌め込んで結合される請求項２の段ボール組立机。
【請求項４】
両側柱、衝立、中央渡し及び上方渡しにそれぞれ展開状態からの折り畳みのための折り目をつけた請求項２又は３の段ボール組立机。
【考案の詳細な説明】
【技術分野】
【０００１】
本考案は、幼児等の知育おもちゃを兼ねる段ボール組立机に関するものである。
【背景技術】
【０００２】
主として幼児向けの机や椅子を安価な段ボールで製作することが試みられている。下記特許文献１及び２にその一例が示されているが、いずれも必要な強度は保たれているようであるが、特異な形態をしていたり、組立が難しかったりする。また、組立前の流通時には、偏平な折り畳まれた状態であると記されているが、具体的にどのような形態をしているかについては触れられていない。
【特許文献１】特開平０９−３２２８３９号公報
【特許文献２】特開平１２−０５２３３８号公報
【考案の開示】
【考案が解決しようとする課題】
【０００３】
本考案は、幼児でも組み立てられる簡単な構成であるとともに、各パーツが机の天板を形成する天蓋に収容できるようにして収納形態をすっきりしたものにして収納時に散逸したりせず、しかも、流通にも便利にしたものである。
【課題を解決するための手段】
【０００４】
以上の課題の下、本考案は、請求項１に記した、それぞれ段ボールの、中空体に巻回して両側に配される二つの側柱と、両側柱の中央に掛け渡される中央渡しと、両側柱の前部上方に架け渡される上方渡しと、これら両側柱、中央渡し及び上方渡しを覆って両側柱に上から嵌め込まれる天蓋とからなる段ボール組立机において、天蓋を直方体をした側壁付きの二つ折りの箱で構成するとともに、両側柱、中央渡し及び上方渡しをそれぞれ展開して折り畳んで重ねると、天蓋の中に収容できるようにしたことを特徴とする段ボール組立机を提供するとともに、これにおいて請求項２の両側柱の後部に掛け渡される衝立を有するものであり、衝立も折り畳んで重ねると、天蓋の中に収容できる手段を提供したものである。
【考案の効果】
【０００５】
本考案の段ボール机は、少なくとも、二つの側柱、中央渡し、上方渡し及び天蓋の五つのパーツから構成されるが、各々のパーツによる組立は簡単であり、組立手順を示すイラスト等があれば、幼児でも組み立てられる。また、天蓋を除く四つのパーツを展開した状態から折り畳んで重ねると、すべて直方体の天蓋の中に収容でき、この操作もイラスト等があれば幼児でもできる。この点で、二つの操作をもつ知育おもちゃともなる。加えて、この収納形態をとることにより、雑誌の付録等にも適用できる上に、郵送等においても便利なものとなる。さらに、請求項２の手段によると、机の剛性は高くなるし、組立、収納ともに一層の知育が求められ、より興趣の増すものとなる。
【考案を実施するための最良の形態】
【０００６】
以下、本考案の実施の形態を図面を参照して説明する。図１は本考案に係る段ボール机の正面斜視図、図２は組立状態を示す裏面斜視図、図３は各パーツの配置を示す裏面斜視図、図４は各パーツの展開姿態から折り畳んだ状態を示す斜視図、図５は天蓋の展開した状態と組み立てた状態を示す斜視図であるが、この段ボール机は、それぞれ段ボールからなる二つの側柱１、２、衝立３、中央渡し４、上方渡し５及び天蓋６の都合六つのパーツからなる。なお、衝立３に関しては、必ずしも必要ないが、本例では、この衝立３を有するものについて説明する。
【０００７】
側柱１、２は、机の両脚となるものであり、長細い矩形をしたものを巻回して中空体とする。また、その上辺には、他のパーツと嵌合して結合するための五つの切欠溝１ａ〜１ｅが形成されている。さらに、その短手方向には、中空体に組み立てるときや後述する折り畳むときの折り目１ｆが八本形成されている。衝立３は、側柱１、２を結合するための架橋材であるとともに、側柱１、２間を隠す遮蔽材でもあるが、矩形のものをそのまま使用する。そして、その下辺には、同様に二つの切欠溝３ａ、３ｂが形成されているし、短手方向中央に折り畳むときの折り目３ｃが形成されている。
【０００８】
中央渡し４も、架橋材であり、矩形のものを長手方向中央に形成された折り目４ａで折って使用する。また、折り目４ａの個所には同様に二つの切欠溝４ｂ、４ｃが形成されているし、短手方向中央に折り畳むときの折り目４ａも形成されている。上方渡し５は、架橋材であるとともに、天蓋６の下敷きとなる部材で、矩形のものを三つの下垂壁５ａ〜５ｃ（図３）ができるように折って使用する。さらに、その折り目には、六つの切欠溝５ｄ〜５ｉが形成されているし、短手方向に組み立てのときや折り畳むときに使用する七つの折り目５ｊが形成されている。
【０００９】
天蓋６は、机の天板となるものであり、展開した状態が底壁６ａの四方に側壁６ｂが形成された上方に開口する箱の形態をしているものである。そして、長手方向の対向する側壁６ｂの中央に両側に切断線６ｃを入れて中に折り込むことができる折返片６ｄを形成している。さらに、切断線６ｃに連続した底壁６ａの部分には折り目６ｅが形成され、この折り目６ｅを折り返して合わせると、直方体の箱になるようにしてある。
【００１０】
以上の各パーツを使用して机に形成するのであるが（図３、図４）、まず、側柱１、２を巻回して中空体にする。この側柱１、２は、四角柱になるものであるが、それぞれの折り個所には折り目１ｆが入れてあり、自然にこの形態になるようになっている。なお、この巻回時、両端が内側部分で二重になるようにして強度を確保している。以上の側柱１、２が組み上がると、これを両側に置いて衝立３を上から差し込むが、このとき、切欠溝３ａを側柱１、２の切欠溝１ｂに入れて結合の強化を図る。ところで、この差し込んだ状態のとき、衝立３の上端は、側柱１、２の上端よりも後述する上方渡し５の厚み分だけ高くなっている。
【００１１】
次に、中央渡し４を両側柱１、２に渡すのであるが、このとき、長手方向の折り目４ａで折って折り側を下にして側柱１、２の切欠溝１ａ、１ｅ（この両者は同じ位置にある）に自身の切欠溝４ａ、４ｂを嵌め込む。なお、このとき、中央渡し４の両端は、側柱１、２の外壁の内面まで延びており、これで外壁を張るようにして剛性を高めている。このとき、中央渡し４と側柱１、２の上端の高さは同じになるようにしてある。
【００１２】
次いで、上方渡し５を渡し掛けるのであるが、それには、上方渡し５を下方に三つの下垂壁５ａ〜５ｃができるように折る。この下垂壁５ａ〜５ｃは、剛性を高めるものであって、それぞれの下端に形成された切欠溝５ｄ〜５ｉを側柱１、２の切欠溝１ｃ〜１ｂに嵌め込む。すなわち、切欠溝５ｄ、５ｅは、切欠溝１ｃに、切欠溝５ｆ、５ｇは、切欠溝１ｄに、切欠溝５ｈ、５ｉは、切欠溝１ｂの衝立３の前方に嵌め込む（これが可能なように切欠溝１ｂは幅を広くしてある）。このとき、上方渡し５の両端は、側柱１、２の中空体の中に入り込んでおり、天蓋６を支えるための必要な面積が保たれている。これにより、衝立３より前方は、上方渡し５で衝立３と同じ高さで覆われるのであるが、その裏面は、中央渡し４や側柱１、２の上端に密着していて必要な強度が保たれている。
【００１３】
最後に天蓋６を被せれば、机の組立が完了するが、この天蓋６の装着は、開いた状態で開口部を下にして両側柱１、２に嵌め込めばよく、そうすると、側壁６ｂ及び折返片６ｃが側柱１、２の上部を覆うことになる。なお、このとき、天蓋６は、両脚注１、２から抜け出ないようにある程度緊く嵌合されるようになっている。このように、比較的少ないパーツで組立も簡単であるから、組立手順を示すイラスト等があれば、幼児でも組み立てることができる。
【００１４】
ところで、本考案は、以上の各パーツを展開した状態から所定の形態で折り畳むと、箱である天蓋６の中に収容できるようになっている。この取り畳みの形態は、各々で違っており、机に組み上げるときの折り目とは違っていることもあるが、それぞれに折り目が形成されているから、イラスト等を見れば、幼児であっても折り畳むことができる。具体的には、側柱１、２は、短手方向の所定の折り目１ｆで三枚重ねに折り、衝立３は、同じく短手方向の折り目３ｃで二枚に折り、中央渡し４は、同じく短手方向の折り目４ａで二枚に折り、上方渡し５は、同じく短手方向の所定の折り目５ｊで二枚半に折ればよい（図４）。
【００１５】
以上のように折り畳んだ各パーツを積み重ねると、その高さ及び大きさは天蓋６の中に収容できるようになっている。したがって、各パーツを中に入れて天蓋の折り目６ｅで折れば（このとき、邪魔になる折返片６ｄは中に折り返しておく）、箱だけの形態となる。なお、この操作についても、イラスト等を見れば、幼児でもできるようになっている。
【００１６】
ところで、これら机や箱の大きさ等について一例を挙げておくと、幅４２０ｍｍ（側柱１、２の厚みは８０ｍｍ）、奥行２７０ｍｍ、高さ２７０ｍｍの机である場合、幅４２０ｍｍ、奥行２７０ｍｍ、厚さ１００ｍｍの箱に収まることになる。このような収納形態をとることで、幼児向け雑誌の付録とすることもできるし、郵送等の持ち運びにも便利になる。さらに、使用しないときに収納したときも、場所をとらないし、各パーツが散逸することもない。
【００１７】
以上の各パーツは、価格の安い段ボールを使用するのであるが、この段ボールは、どのようなものであってもよいが、天蓋６等は、Ｅ段と呼ばれる薄いものが嵩張らない上に美麗で好ましいし、側柱１等は強度の高いＡ段又はＢ段が好ましい。また、この組立物は、幼児向けであることから、側柱１、２の両外面等には、適当な図柄の絵を描画したり、動物を模した切抜き等を設けておくこともある。
【図面の簡単な説明】
【００１８】
【図１】段ボール組立机の正面斜視図である。
【図２】段ボール組立机の組立状態を示す斜視図である。
【図３】段ボール組立机の各パーツの配置を示す裏面斜視図である。
【図４】段ボール組立机の各パーツの展開姿態から折り畳んだ状態を示す斜視図である。
【図５】段ボール組立机の天蓋を展開した状態と組み立てた状態とを示す斜視図である。
【符号の説明】
【００１９】
１    側柱
１ａ〜１ｅ  切欠溝
１ｆ  折り目
２    側柱
３    衝立
３ａ〜３ｂ  切欠溝
３ｃ  折り目
４    中央渡し
４ａ  折り目
４ｂ〜４ｃ  切欠溝
５    上方渡し
５ａ〜５ｃ  下垂壁
５ｄ〜５ｉ  切欠溝
５ｊ  折り目
６    天蓋
６ａ  底壁
６ｂ  側壁
６ｃ  切断線
６ｄ  折返片
６ｅ  折り目
【図１】
0003113506.tif 000003
【図２】
0003113506.tif 000004
【図３】
0003113506.tif 000005
【図４】
0003113506.tif 000006
【図５】
0003113506.tif 000007